(57)【要約】【課題】サンダルのアッパー部が着脱可能に装着され、装着されたアッパー部の抜けを十分に防止でき、しかも薄型化を図れる履物を提供する。【解決手段】アウトソール部３にアッパー部５を着脱するために、アッパー部５の周囲に複数の弾性を有する材料から成る挿入片１５が形成され、各挿入片１５には嵌合孔１９が開けられる。アッパー部５の装着が行われた状態における各挿入片１５の位置で、前記アウトソール部３には、挿入片１５が挿入され貫通する挿入孔２１が形成される。この貫通した状態で拡径した嵌合孔１９に嵌合できる位置で、アウトソール部３に嵌合突起２９が形成される。挿入孔２１の寸法は、挿入時に挿入片１５が挿入孔２１に接し左右から押されて嵌合孔１９が潰れることにより左右幅が小さくなることで、はじめて挿入可能になる寸法とする。【選択図】図１
2015144694.tif 000002
【特許請求の範囲】
【請求項１】
履物を構成し地面に接する部位を有するアウトソール部と、このアウトソール部に着脱可能で足の甲を跨ぐ部位を有するアッパー部と、前記着脱のために、前記アッパー部の周囲に複数が形成され、弾性を有する材料から成る挿入片と、これら各挿入片に開けられた嵌合孔と、前記アッパー部の装着が行われた状態における前記各挿入片の位置で、前記アウトソール部に形成され、前記挿入片が挿入され貫通する挿入孔と、この貫通した状態で前記嵌合孔に嵌合できる位置で、前記アウトソール部に形成される嵌合突起と、を有することを特徴とする履物。
【請求項２】
前記挿入孔の寸法は、前記挿入時に前記挿入片が前記挿入孔に接し左右から押されて前記嵌合孔が潰れることにより左右幅が小さくなることで、はじめて挿入可能になる寸法であることを特徴とする請求項１に記載の履物。
【請求項３】
前記挿入片が前記挿入孔へ挿入される方向は、前記アッパー部の周囲から内側へ向かい、前記貫通後は、前記挿入片はほぼ水平になり、前記嵌合突起は上下に設けられ前記嵌合は上下方向に行われることを特徴とする請求項１、または２に記載の履物。
【請求項４】
前記挿入片は、舌状で、先端が尖った形状を有し、前記嵌合孔は、挿入方向に向かって前後に長く、先端または／および後端が、尖った形状を有することを特徴とする請求項１、２、または３に記載の履物。
【請求項５】
前記嵌合突起は、先端が、前記挿入方向に向かって手前が低くなるように傾斜していることを特徴とする請求項３、または４に記載の履物。
【発明の詳細な説明】
【技術分野】
【０００１】
この発明は、アウトソール部とアッパー部とを有して成る履物に関し、特に、アッパー部が着脱可能な構造に関する。
【背景技術】
【０００２】
下記特許文献１には、サンダルのアッパー部を構成するストラップ部（４０）が、着脱可能に装着される機構が開示される。この機構は、ストラップ部（４０）の両端に形成される孔（４１）に、アウトソール（１０）に設けられた突起状の係止部（２０）が挿入され、この係止部（２０）が有する抜け止め爪（２１ｏｒ２５Ａ）によって抜け止が図られるものである。
【先行技術文献】
【特許文献】
【０００３】
【特許文献１】実登３０８３６９３
【発明の概要】
【発明が解決しようとする課題】
【０００４】
しかしながら、上記特許文献１では、単なる抜け止め爪（２１ｏｒ２５Ａ）によっては、強度的に十分な抜け止を行うことができない。また、ストラップ部（４０）の両端をアウトソール（１０）に設けられた突起状の係止部（２０）に向かって下方へ移動し、挿入を行わなければならず、この移動挿入のために、アウトソール（１０）には上下方向に大きなスペースを設ける必要があり、薄い履物には適用できなかった。
【０００５】
この発明は、以上の問題点を解決するために、着脱可能に装着されるアッパー部の抜けを十分に防止でき、しかも薄型化を図れる履物を提供することを目的とする。
【課題を解決するための手段】
【０００６】
以上の課題を解決するために、第一発明は、履物を構成し地面に接する部位を有するアウトソール部と、このアウトソール部に着脱可能で足の甲を跨ぐ部位を有するアッパー部と、前記着脱のために、前記アッパー部の周囲に複数が形成され、弾性を有する材料から成る挿入片と、これら各挿入片に開けられた嵌合孔と、前記アッパー部の装着が行われた状態における前記各挿入片の位置で、前記アウトソール部に形成され、前記挿入片が挿入され貫通する挿入孔と、この貫通した状態で前記嵌合孔に嵌合できる位置で、前記アウトソール部に形成される嵌合突起と、を有することを特徴とする履物である。
【０００７】
第二発明は、さらに、前記挿入孔の寸法は、前記挿入時に前記挿入片が前記挿入孔に接し左右から押されて前記嵌合孔が潰れることにより左右幅が小さくなることで、はじめて挿入可能になる寸法であることを特徴とする履物である。
第三発明は、さらに、前記挿入片が前記挿入孔へ挿入される方向は、前記アッパー部の周囲から内側へ向かい、前記貫通後は、前記挿入片はほぼ水平になり、前記嵌合突起は上下に設けられ前記嵌合は上下方向に行われることを特徴とする履物である。
第四発明は、さらに、前記挿入片は、舌状で、先端が尖った形状を有し、前記嵌合孔は、挿入方向に向かって前後に長く、先端または／および後端が、尖った形状を有することを特徴とする請求項１、または２に記載の履物である。
第五発明は、さらに、前記嵌合突起は、先端が、前記挿入方向に向かって手前が低くなるように傾斜していることを特徴とする履物である。
【発明の効果】
【０００８】
第一、第二、第三、第四、又は第五発明によれば、アウトソール部にアッパー部を装着する際には、アッパー部の各挿入片を、アウトソール部の各挿入孔に挿入する。挿入片が挿入され貫通した状態で、嵌合孔に、嵌合突起を嵌合する。この嵌合によって嵌合孔の拡径が維持される。よって、嵌合孔を開けられた挿入片は、挿入孔から抜けにくくなる。また、挿入片は、挿入孔によって自由な動きが規制される。これらのことから、挿入片が挿入孔から抜けにくくなり、アッパー部の抜けが十分に防止できる。
また、アウトソール部からアッパー部を外す際には、各嵌合孔から嵌合突起を外す。その後に、挿入片を引っ張ると、挿入片が挿入孔から抜け、アッパー部を外すことができる。
第二、第三、第四、又は第五発明によれば、さらに、挿入孔の寸法は、嵌合孔が潰れることにより挿入が可能になるぎりぎりの大きさにすることで、挿入片の抜けを十分に防止できる。
すなわち、挿入時に挿入片が、挿入孔に接し左右から押され、よって嵌合孔が潰れることにより、左右幅が小さくなることで、はじめて挿入可能になる挿入孔の大きさにする。このことから、次に、挿入され貫通した挿入片の嵌合孔に、嵌合突起を嵌合させると、この嵌合孔はふくらみ、よって挿入片の左右幅は元のように大きくなる。そして、挿入片を挿入孔から抜く方向へ力が加わっても、嵌合突起がじゃまになり、挿入片の左右幅は小さくならないので、挿入片の抜けを防止できる。
【０００９】
しかも、挿入片を挿入孔から抜く方向へ力が加わると、挿入片は再び、挿入孔に接し左右から押され、よって嵌合孔が潰れる方向に力が働くので、嵌合孔は嵌合突起を強くつかむことになって摩擦が大きくなり、嵌合はより強固になり、挿入片の抜けをより強く防止できる。
【００１０】
アウトソール部からアッパー部を外す際には、各嵌合孔から嵌合突起を外す。その後に、挿入片を引っ張ると、挿入片が挿入孔によって左右から押され、嵌合孔が潰れることにより、左右幅が小さくなり、挿入片が挿入孔から抜け、アッパー部を外すことができる。
第三、第四、又は第五発明によれば、さらに、アッパー部を装着するために必要なアウトソール部の上下方向のスペースを小さくでき、よって、履物の薄型化を図れる。
すなわち、挿入片が挿入孔へ挿入される方向は、従来のように上下方向ではなく、アッパー部の周囲から内側へ向かい、貫通後は、挿入片はほぼ水平になって嵌合突起との嵌合が行われる。そして一般に、挿入片の挿入のためのスペースは大きく必要であり、嵌合突起のためのスペースは小さくて済むので、挿入片を内側へ向かわせ水平にすることにより、大きく必要なスペースを略水平にとることができる。このため、アウトソール部の上下方向のスペースを小さくでき、よって、履物の薄型化を図れる。
【００１１】
第四、又は第五発明によれば、さらに、挿入片は、舌状で、先端が尖った形状を有することから、挿入孔への先端からの挿入が容易に行え、よって、アッパー部の装着が容易になる。
また、嵌合孔は、挿入方向に向かって前後に長く、先端または／および後端が、尖った形状を有するので、挿入片を挿入する際、または抜く際に、嵌合孔は潰れやすいので、アッパー部の着脱が容易になる。
第五発明によれば、さらに、嵌合突起は、先端が、挿入方向に向かって手前が低くなるように傾斜していることから、嵌合が容易になる。
すなわち、挿入片が挿入孔へ挿入され貫通する際に、挿入片を嵌合突起の先端へ滑らせると、挿入片は嵌合突起の傾斜に沿って滑り上り、この挿入片の嵌合孔が嵌合突起に、自然に嵌合するので、嵌合が容易になり、よってアッパー部の装着が容易になる。
【図面の簡単な説明】
【００１２】
【図１】この発明の第一実施形態に係る履物の分解図で、（Ａ）は履物へ足が接する部分のインソール部の斜視図、（Ｂ）は足の甲を跨ぐ部位を有するアッパー部の斜視図、（Ｂ‘）は（Ｂ）のアッパー部の装着する直前の状態を示す斜視図、（Ｃ）は（Ｂ‘）のアッパー部が着脱可能なアウトソール部の斜視図、（Ｄ）は（Ｂ‘）のアッパー部を（Ｃ）のアウトソール部へ装着した状態の斜視図、（Ｅ）は（Ｄ）に（Ａ）のインソール部を取付けた斜視図である。
【図２】（Ａ）は図１（Ａ）の平面図、（Ｂ）は図１（Ｂ）の平面図、（Ｃ）は図１（Ｃ）の平面図、（Ｄ）は図１（Ｄ）の平面図、（Ｄ‘）は（Ｄ）の一部を透視した平面図、（Ｅ）は図１（Ｅ）の平面図である。
【図３】図１のアウトソール部へアッパー部を装着する機能を説明するもので、（Ｆ）は図１（Ｂ）の断面図、（Ｇ）は図１（Ｄ）の断面図、（Ｈ）は図１（Ｅ）の断面図、（Ｉ）は（Ｆ）から（Ｇ）への挿入動作を説明する断面図、（Ｊ）〜（Ｌ）および（Ｊ‘）〜（Ｌ’）は（Ｉ）の挿入動作を詳しく説明する断面図とその平面図であり、（Ｊ）（Ｊ‘）は挿入前の図、（Ｋ）は（Ｋ’）は挿入途中の図、（Ｌ）は（Ｌ’）は挿入完了の図ある。
【図４】この発明の第二実施形態に係る履物の分解図で、（Ａ）は履物へ足が接する部分のインソール部の斜視図、（Ｂ）は足の甲を跨ぐ部位を有するアッパー部の斜視図、（Ｃ）は（Ｂ）のアッパー部が着脱可能なアウトソール部の斜視図、（Ｄ）は（Ｂ）のアッパー部を（Ｃ）のアウトソール部へ装着した状態の斜視図、（Ｅ）は（Ｄ）に（Ａ）のインソール部を取付けた斜視図である。
【図５】図４のアウトソール部へアッパー部を装着する機能を説明するもので、（Ｆ）は図４（Ｂ）の断面図、（Ｇ）は図４（Ｄ）の断面図、（Ｈ）は図４（Ｅ）の断面図、（Ｉ）は（Ｆ）から（Ｇ）への挿入動作を説明する断面図である。
【図６】（Ｉ‘）は、この発明の他の実施形態に係る履物の要部を示す図で、図３（Ｉ）に対応して挿入動作を説明する断面図、（Ｆ‘）〜（Ｈ’）は別の他の実施形態に係る履物の要部を示す図で、（Ｆ‘）は図３（Ｆ）に対応する断面図、（Ｇ‘）は図３（Ｇ）に対応する断面図、（Ｈ‘）は図３（Ｈ）に対応する断面図である。
【図７】この発明の第三実施形態に係る履物の分解図で、（Ｂ）は足の甲を跨ぐ部位を有するアッパー部の斜視図、（Ｃ）は（Ｂ）のアッパー部が着脱可能なアウトソール部の斜視図、（Ｄ）は（Ｂ）のアッパー部を（Ｃ）のアウトソール部へ装着した状態の斜視図、（Ｄ‘）は（Ｄ）の一部を透視した平面図である。
【図８】図７のアウトソール部へアッパー部を装着する機能を説明するもので、（Ｊ）〜（Ｌ）および（Ｊ‘）〜（Ｌ’）は、図３の（Ｊ）〜（Ｌ）および（Ｊ‘）〜（Ｌ’）に対応し、挿入動作を詳しく説明する断面図とその平面図であり、（Ｊ）（Ｊ‘）は挿入前の図、（Ｋ）は（Ｋ’）は挿入途中の図、（Ｌ）は（Ｌ’）は挿入完了の図ある。
【発明を実施するための形態】
【００１３】
この発明の第一実施形態に係る履物を、図１〜図３に示す。
図１および図２に示すように、この第一実施形態に係る履物１は、サンダルであり、アウトソール部３にアッパー部５を着脱可能に装着し、着脱機構７をインソール部９で覆うことで、アッパー部５の交換が可能となっている。
図１（Ｃ）に示すように、アウトソール部３は、履物１の下部を構成し、地面に接する部位１１を有する。
【００１４】
図１（Ｂ）図２（Ｂ）に示すように、アッパー部５は、このアウトソール部３に着脱可能で、足の甲を跨ぐ部位１３を有する。この着脱のために、アッパー部５の全周囲には、挿入片１５が、複数形成される。
これらの挿入片１５は、アッパー部５と同一素材で、一体的に成型され、シリコン樹脂などの弾性を有する材料から成る。挿入片１５の形状は、舌状で、先端が尖った形状を有する（図１（Ｂ‘）、図２（Ｂ）、図３（Ｊ’））。各挿入片１５は、アッパー部５の周囲の枠部１７に沿って、広さの方向が揃えられ、一体的に形成され、内側へ向かって水平に配置される。もっとも挿入の際には、図１（Ｂ‘）に示すように、各挿入片１５は、弾性により、一時的に下外側へ向けられる。
【００１５】
各挿入片１５にはほぼ中央に嵌合孔１９が開けられる。この嵌合孔１９は、挿入片１５の挿入方向に向かって前後に長く、後端が尖った形状を有し、いわば涙型をなす（図１（Ｂ‘）、図２（Ｂ）、図３（Ｊ‘））。
図１（Ｃ）に示すように、各挿入片１５に対応する位置で、アウトソール部３に挿入孔２１が形成される。すなわち、アッパー部５の装着が行われた状態における各挿入片１５の位置で、アウトソール部３には、挿入片１５が挿入され貫通する挿入孔２１が、形成される。
【００１６】
この挿入孔２１は、アウトソール部３の周囲側面の上部縁部に、全周にわたって複数が設けられ、入口２２が開口する。
アウトソール部３の上面中央には浅い凹み２３が形成される。この凹み２３は、インソール部９が嵌合されて、完全に覆われる形状と広さを有する。この凹み２３の深さは、インソール部９の厚さのほぼ二倍の深さである（図３（Ｇ））。なお、このインソール部９の裏側は、図示しないが、凹み２３と嵌合突起２９群とが形成する凹凸と反対の凹凸を有している。これら両者の凹凸の働きで、嵌合突起２９はインソール部９の裏側によって隙間無く押圧されることになり、嵌合はより外れにくくなる。
図３（Ｉ）（Ｇ）（Ｈ）などに示すように、挿入孔２１は水平で、凹み２３の内周壁２５に出口２７が開口する。これにより、挿入片１５が挿入孔２１へ挿入される方向は、アッパー部５の周囲から内側へ向かう。そして、挿入孔２１を貫通後は、挿入片１５はほぼ水平になる。
【００１７】
また、この貫通した状態で、挿入片１５の嵌合孔１９は、弾性により、または装着作業者の指によって、拡径する。拡径した嵌合孔１９に嵌合できる位置で、すなわち、挿入孔２１の出口２７付近で、アウトソール部３の凹み２３の底に、嵌合突起２９（図１（Ｃ）、図３（Ｇ）（Ｋ））が形成される。嵌合突起２９は、凹部の底の周囲に、複数が配置され、上下に設けられて嵌合は上下方向に行われる。嵌合突起２９は、略短円筒状で、高さが、挿入片１５の厚みの1から２倍程度であり、先端が、挿入片１５の挿入方向に向かって、手前が低くなるように傾斜している。また、この傾斜面は、アウトソール部３の中央方向へ反り上がる形状を有する。この反り上がり形状により、嵌合がより外れにくくできる。
【００１８】
図３（Ｋ‘）などに示すように、挿入孔２１の左右方向（図中上下方向）の寸法は、挿入時に挿入片１５が挿入孔２１に接し左右から押されて、嵌合孔１９が潰れることにより、左右幅が小さくなることで、はじめて挿入可能になる寸法である。
挿入片１５や嵌合突起２９などで構成される着脱機構７が設けられた凹み２３は、図１（Ｅ）、図２（Ｅ）、図３（Ｈ）に示すように、インソール部９で覆われるが、このインソール部９の下面は嵌合突起群で支えられる（図３（Ｈ））。
【００１９】
「実施形態の効果」
この実施形態によれば、以下の作用効果を得る。
（１）アウトソール部３にアッパー部５を装着する際には、インソール部９を外し、着脱機構７を露出させ（図１（Ｃ）、図２（Ｃ））、アッパー部５の各挿入片１５を、アウトソール部３の各挿入孔２１に挿入する（図３（Ｆ）から図３（Ｇ）、図３（Ｉ）、図３（Ｊ）から図３（Ｋ））。挿入片１５が挿入され貫通した状態で、拡径した嵌合孔１９に、嵌合突起２９を嵌合する（図３（Ｇ）、図３（Ｌ））。
この嵌合によって嵌合孔１９の拡径が維持される。よって、嵌合孔１９を開けられた挿入片１５は、挿入孔２１から抜けにくくなる。また、挿入片１５は、挿入孔２１に挿入されているので自由な動きが規制される。これらのことから、挿入片１５が挿入孔２１から抜けにくくなり、アッパー部５の抜けが十分に防止できる。
その後にインソールを取付ける（図３（Ｈ）、図３（Ｌ））。これにより、しっかりとしたアッパー部５の装着が行われる。
【００２０】
アウトソール部３からアッパー部５を外す際には、インソール部９を外し、着脱機構７を露出させ（図１（Ｄ）、図２（Ｄ）、各嵌合孔１９から嵌合突起２９を外す。その後に、挿入片１５を引っ張ると、挿入片１５が挿入孔２１によって左右から押され、嵌合孔１９が潰れることにより、左右幅が小さくなり、挿入片１５が挿入孔２１から抜け（図３（Ｋ）、図３（Ｋ‘））、アッパー部５を外すことができる（図１（Ｂ’））。
【００２１】
これにより、アッパー部５の交換を自在に行うことができる。交換するアッパー部５の種類を豊富に揃えることで、アウトソール部３を無駄にしないまま、種々のおしゃれを楽しむことができる。また、アッパー部５を交換するだけで、トレンドや陳腐化にも対応できる。履物１を買い変えることで、アウトソール部３を無駄に廃棄する必要が無くなり、資源を経済的に利用できる。
【００２２】
（２）そして、図３（Ｋ‘）などに示すように、挿入孔２１の寸法は、嵌合孔１９が潰れることにより挿入が可能になるぎりぎりの大きさにすることで、挿入片１５の抜けを十分に防止できる。
すなわち、挿入時に挿入片１５が、挿入孔２１に接し左右から押され、よって嵌合孔１９が潰れることにより、左右幅が小さくなる。この左右幅が小さくなることで、はじめて挿入可能になる挿入孔２１の大きさにする。
そして、このことから、次に、挿入され貫通した挿入片１５の嵌合孔１９に、嵌合突起２９を嵌合させると、この嵌合孔１９はふくらみ、よって挿入片１５の左右幅は元のように大きくなる（図３（Ｌ‘））。そして、挿入片１５を挿入孔２１から抜く方向（図３（Ｌ‘）中の左方向）へ力が加わっても、嵌合突起２９がじゃまになり、挿入片１５の左右幅は小さくならないので、挿入片１５の抜けを防止できる。
【００２３】
（３）しかも、挿入片１５を挿入孔２１から抜く方向（図３（Ｌ‘）中の左方向）へ力が加わると、挿入片１５は再び、挿入孔２１に接し左右から押され、よって嵌合孔１９が潰れる方向に力が働くので、嵌合孔１９は嵌合突起２９を強くつかむことになって摩擦が大きくなり、嵌合はより強固になり、挿入片１５の抜けをより強く防止できる。
【００２４】
（４）さらに、図３（Ｇ）、図３（Ｌ）に示すように、アッパー部５を装着するために必要なアウトソール部３の上下方向のスペースを小さくでき、よって、履物１の薄型化を図れる。
すなわち、挿入片１５が挿入孔２１へ挿入される方向は、従来のように上下方向ではなく、アッパー部５の周囲から内側へ向かい図３（Ｉ）、貫通後は、挿入片１５はほぼ水平になって（図３（Ｇ）、図３（Ｋ））嵌合突起２９との嵌合が行われる。
そして、上記特許文献１を含め一般にこのような履物１では、挿入片１５の挿入のためのスペースは大きく必要であり、嵌合突起２９のためのスペースは小さくて済むことから、挿入片１５を内側へ向かわせ水平にすることにより、大きく必要なスペースを略水平にとることができる。このため、アウトソール部３の上下方向のスペースを小さくでき、よって、履物１の薄型化を図れる。
【００２５】
（５）さらに、挿入片１５は、舌状で、先端が尖った形状（図１（Ｂ‘）、図２（Ｂ）、図３（Ｊ‘））を有することから、挿入孔２１への先端からの挿入が容易に行え、よって、アッパー部５の装着が容易になる。
（６）また、嵌合孔１９は、挿入方向に向かって前後に長く、後端が、尖った形状を有する（図１（Ｂ‘）、図２（Ｂ）、図３（Ｊ‘））ので、挿入片１５を挿入する際、または抜く際に、嵌合孔１９は潰れやすく、アッパー部５の着脱が容易になる。
【００２６】
（７）さらに、嵌合突起２９は、先端が、挿入方向に向かって手前が低くなるように傾斜している（図１（Ｃ）、図３（Ｇ）（Ｋ））ことから、嵌合が容易になる。
すなわち、挿入片１５が挿入孔２１へ挿入され貫通する際に、挿入片１５を嵌合突起２９の先端へ滑らせると、挿入片１５は嵌合突起２９にぶつかりにくく、ぶつからずに傾斜に沿って滑り上り、この挿入片１５の嵌合孔１９が嵌合突起２９に、自然に嵌合するので、嵌合が容易になり、よってアッパー部５の装着が容易になる。
【００２７】
（８）図２（Ｂ）（Ｄ‘）などに示すように、アッパー部５の挿入片１５が設けられる箇所と、その隣の設けられない箇所は、Ｓ字を連続させた滑らかな曲線３１を有し、しかも大きな曲線３１にすることで、挿入片１５に加わる大きな力に耐えられる。
【００２８】
「他の実施形態」
（１）以上の実施形態では、挿入孔２１は、アウトソール部３の周囲側面に入口が開口し、全路にわたって水平であったが、図４および図５に示す第二実施形態に示すように、アウトソール部３の周囲上面に入口を開口し（図４（Ｃ）、図５（Ｇ）（Ｈ）（Ｉ））、略Ｌ字状に屈曲した後に水平となるものでもよい。
【００２９】
また、図６（Ｉ‘）に示すように、アウトソール部３の周囲の側面と上面の合わさる角部に入口２１を開口し、略Ｌ字状に屈曲した後に水平となるものでもよい。
（２）以上の実施形態では、嵌合孔１９は、後端が、尖った形状を有するものであったが、他の実施形態では、先端が、尖った形状を有するものであってもよい。また、先端および後端が、ともに尖った形状を有するものであってもよい。これにより、挿入片１５の挿入容易性はさらに向上する。
【００３０】
（３）以上の実施形態では、アッパー部５を着脱する際には、インソール部９を外し、着脱機構７を露出させる必要があった。しかし他の実施形態では、アウトソール部３の底面裏側から常時、着脱機構７を露出させ、嵌合突起２９の向きを逆に下向きにすれば、アウトソール部３の底面裏側から、挿入や嵌合などの操作ができるので、インソール部９を外さなくても、アッパー部５を着脱が可能になる。
【００３１】
（４）また、上記（３）のように嵌合突起２９の向きを下向きにするだけではなく、図６（Ｆ‘）から（Ｈ‘）に示すように、アウトソールの底面裏側に露出する着脱機構７を、裏蓋３３により覆うことも可能である。アッパー部５を着脱する際には、この裏蓋３３を外し、着脱機構７を露出させる。また、裏蓋３３の下方への脱落を防止するために、裏蓋３３とアウトソールの底面裏側とを、凹凸の係止形状３５で係止する。
【００３２】
この場合に、アッパー部５はインソール部９’を一体的に有する。インソール部９’を一体にし、取外しできない構造にすることで、防水がより可能になる。
（５）この実施形態に係る履物１は、サンダルであったが、他の実施形態では、アウトソール部３とアッパー部５とを有して成る他の履物１、例えば、靴やブーツなどに、本発明を実施することは可能である。
（６）以上の実施形態では、挿入片１５は、アッパー部５と同一素材で、一体的に成型するものであったが、他の実施形態では、別素材とすることも、もちろん可能である。例えば、挿入片１５はシリコンゴム製とし、アッパー部５は革製とし、両者をつなぎ合わせて一体化することも可能である。
（７）以上の実施形態では、挿入時に、挿入片１５が挿入孔２１に接し左右から押されて嵌合孔１９が潰れることにより左右幅が小さくなることで、はじめて挿入可能になるものであったが、他の実施形態では、必ずしも、嵌合孔１９が潰れる必要はない。例えば、図７，図８に示す第三実施形態のように、潰れずに、きっちりと挿入がおこなわれるものであっても良い。
すなわち、挿入片１５の断面積と、挿入孔２１の空間の断面積は、ほぼ共通で、略全長にわたって同じである。これにより、挿入時に、挿入片１５が挿入孔２１に軽く接しつつ、左右から軽く押されるものの、嵌合孔１９が潰れることはなく、挿入片１５の左右幅が小さくなることもなく、きっちりとした挿入がなされる。しかし、軽い接触により、挿入片１５は、挿入孔２１により自由な動きが十分に規制される。よって、挿入片１５が挿入孔２１から抜けにくくなり、アッパー部５の抜けが十分に防止できる。
このとき、嵌合孔１９の大きさは、ほとんど変わらず、拡径もほとんどない。このため、嵌合突起２９は比較的小さくなる。小さくても十分な嵌合がおこなわれるように、嵌合突起２９の長さを長くし、先端を、図示のように水平に延ばすなどのくふうも可能である。また、材質を工夫することで、例えばポリカーボネート製などとすることで、小さく細い嵌合突起２９であっても、十分な強度を確保できる。
（８）以上の第三実施形態では、挿入片１５が挿入孔２１に軽く接するものであったが、他の実施形態では、挿入片の断面積は、挿入孔の空間の断面積よりも、小さいものとすることもできる。
この場合には、挿入片は、挿入孔の中で遊んだ状態となる。しかし、挿入片１５が挿入孔２１から抜けるには、かなり自由な動きが必要であり、挿入片が挿入孔の中に遊んだ状態で挿入されても、この自由な動きは規制される。よって、挿入片１５が挿入孔２１から抜けにくくなり、アッパー部５の抜けが防止できる。
（９）以上の第三実施形態では、嵌合孔１９の拡径はほとんどないものであったが、他の実施形態では、嵌合孔１９へ嵌合突起２９を嵌合する際に、挿入片１５の材質により、嵌合突起２９に押されて拡径するものでもよい。
【符号の説明】
【００３３】
１…履物、３…アウトソール部、５…アッパー部、７…着脱機構、９、９’…インソール部、１１…地面に接する部位、１３…足の甲を跨ぐ部位、１５…挿入片、１７…枠部、１９…嵌合孔、２１…挿入孔、２２・・入口、２３…凹み、２５…内周壁、２７…出口、２９…嵌合突起、３１…曲線、３３…裏蓋、３５…係止形状。
【図１】
2015144694.tif 000003
【図２】
2015144694.tif 000004
【図３】
2015144694.tif 000005
【図４】
2015144694.tif 000006
【図５】
2015144694.tif 000007
【図６】
2015144694.tif 000008
【図７】
2015144694.tif 000009
【図８】
2015144694.tif 000010
【手続補正書】
【提出日】平成26年8月15日(2014.8.15)
【手続補正１】
【補正対象書類名】特許請求の範囲
【補正対象項目名】請求項１
【補正方法】変更
【補正の内容】
【請求項１】
履物を構成し地面に接する部位を有するアウトソール部と、このアウトソール部に着脱可能で足の甲を跨ぐ部位を有するアッパー部と、前記着脱のために、前記アッパー部の周囲に複数形成され、弾性を有する材料から成る挿入片と、これら各挿入片に開けられた嵌合孔と、前記アッパー部の装着が行われた状態における前記各挿入片の位置で、前記アウトソール部に形成され、前記挿入片が挿入され貫通する挿入孔と、前記アウトソール部上面または裏面の中央に形成された凹みと、前記挿入片が貫通した状態で前記嵌合孔に嵌合できる位置で、前記アウトソール部に形成される嵌合突起と、を有し、前記挿入片が挿入される方向は、前記アウトソール部の周囲から内側へ向かい、前記凹みに貫通後は、前記凹み底に配置され  上下に、または内側に向かいかって斜めに設けられた前記嵌合突起に、それぞれ上下方向または内側に向かって斜め方向に嵌合が行われることを特徴とする履物。
【手続補正２】
【補正対象書類名】特許請求の範囲
【補正対象項目名】請求項３
【補正方法】変更
【補正の内容】
【請求項３】
前記挿入片は、舌状で、先端が尖った形状を有し、前記嵌合孔は、挿入方向に向かって前後に長く、或いは、先端または／および後端が、尖った形状を有することを特徴とする請求項1、または2に記載の履物。
【手続補正３】
【補正対象書類名】特許請求の範囲
【補正対象項目名】請求項４
【補正方法】変更
【補正の内容】
【請求項４】
前記嵌合突起は、先端が、前記挿入方向に向かって手前が低くなるように傾斜していることを特徴とする請求項１、２、または３に記載の履物。
【手続補正４】
【補正対象書類名】明細書
【補正対象項目名】０００６
【補正方法】変更
【補正の内容】
【０００６】
以上の課題を解決するために、第一発明は、履物を構成し地面に接する部位を有するアウトソール部と、このアウトソール部に着脱可能で足の甲を跨ぐ部位を有するアッパー部と、前記着脱のために、前記アッパー部の周囲に複数形成され、弾性を有する材料から成る挿入片と、これら各挿入片に開けられた嵌合孔と、前記アッパー部の装着が行われた状態における前記各挿入片の位置で、前記アウトソール部に形成され、前記挿入片が挿入され貫通する挿入孔と、前記アウトソール部上面または裏面の中央に形成された凹みと、前記挿入片が貫通した状態で前記嵌合孔に嵌合できる位置で、前記アウトソール部に形成される嵌合突起と、を有し、前記挿入片が挿入される方向は、前記アウトソール部の周囲から内側へ向かい、前記凹みに貫通後は、前記凹みの底に配置され  上下に、または内側に向かって斜めに設けられた前記嵌合突起に、それぞれ上下方向または内側に向かって斜め方向に嵌合が行われることを特徴とする履物である。
【手続補正５】
【補正対象書類名】明細書
【補正対象項目名】０００７
【補正方法】変更
【補正の内容】
【０００７】
第二発明は、さらに、前記挿入孔の寸法は、前記挿入時に前記挿入片が前記挿入孔に接し左右から押されて前記嵌合孔が潰れることにより左右幅が小さくなることで、はじめて挿入可能になる寸法であることを特徴とする履物である。
第三発明は、さらに、前記挿入片は、舌状で、先端が尖った形状を有し、前記嵌合孔は、挿入方向に向かって前後に長く、或いは先端または／および後端が、尖った形状を有することを特徴とする履物である。
第四発明は、さらに、前記嵌合突起は、先端が、前記挿入方向に向かって手前が低くなるように傾斜していることを特徴とする履物である。
以下削除
【手続補正６】
【補正対象書類名】明細書
【補正対象項目名】０００８
【補正方法】変更
【補正の内容】
【０００８】
第一発明によれば、アウトソール部にアッパー部を装着する際には、アッパー部の各挿入片を、アウトソール部の各挿入孔に挿入する。挿入片が挿入孔へ挿入される方向は、従来のように上下方向ではなく、アウトソール部の周囲から内側へ向かい、アウトソール部上面または裏面の中央に形成された凹みに貫通後は、凹部底に配置され  上下に、または内側に向かって斜めに設けられた嵌合突起に、それぞれ上下方向または内側に向かって斜め方向に嵌合が行われる。この嵌合によって挿入片は、挿入孔から抜けにくくなる。また、挿入片は、挿入孔によって自由な動きが規制される。これらのことから、挿入片が挿入孔から抜けにくくなり、アッパー部の抜けが十分に防止できる。
そして一般に、挿入片の挿入のためのスペースは大きく必要であり、嵌合突起のためのスペースは小さくて済むので、挿入片を内側へ向かわせほぼ水平にすることにより、大きく必要なスペースを略水平にとることができる。このため、アウトソール部の上下方向のスペースを小さくでき、よって、履物の薄型化を図れる。
また、アウトソール部からアッパー部を外す際には、各嵌合孔から嵌合突起を外す。その後に、挿入片を引っ張ると、挿入片が挿入孔から抜け、アッパー部を外すことができる。
第一、第二発明によれば、さらに、挿入孔の寸法は、嵌合孔が潰れることにより挿入が可能になるぎりぎりの大きさにすることで、挿入片の抜けを十分に防止できる。
すなわち、挿入時に挿入片が、挿入孔に接し左右から押され、よって嵌合孔が潰れることにより、左右幅が小さくなることで、はじめて挿入可能になる挿入孔の大きさにする。このことから、次に、挿入され貫通した挿入片の嵌合孔に、嵌合突起を嵌合させると、この嵌合孔はふくらみ、よって挿入片の左右幅は元のように大きくなる。そして、挿入片を挿入孔から抜く方向へ力が加わっても、嵌合突起がじゃまになり、嵌合孔の拡径は維持され、挿入片の左右幅は小さくならないので、挿入片の抜けを防止できる。
【手続補正７】
【補正対象書類名】明細書
【補正対象項目名】００１０
【補正方法】変更
【補正の内容】
【００１０】
アウトソール部からアッパー部を外す際には、各嵌合孔から嵌合突起を外す。その後に、挿入片を引っ張ると、挿入片が挿入孔によって左右から押され、嵌合孔が潰れることにより、左右幅が小さくなり、挿入片が挿入孔から抜け、アッパー部を外すことができる。
以下削除
【手続補正８】
【補正対象書類名】明細書
【補正対象項目名】００１１
【補正方法】変更
【補正の内容】
【００１１】
第一、第二、第三発明によれば、さらに、挿入片は、舌状で、先端が尖った形状を有することから、挿入孔への先端からの挿入が容易に行え、よって、アッパー部の装着が容易になる。
また、嵌合孔は、挿入方向に向かって前後に長く、或いは先端または／および後端が、尖った形状を有するので、挿入片を挿入する際、または抜く際に、嵌合孔は潰れやすいので、アッパー部の着脱が容易になる。
第一、第四発明によれば、さらに、嵌合突起は、先端が、挿入方向に向かって手前が低くなるように傾斜していることから、アッパー部の装着が容易になる。
すなわち、挿入片が挿入孔へ挿入され貫通する際に、挿入片は嵌合突起にぶつかることなく、嵌合突起の傾斜に沿って滑り上り、この挿入片の嵌合孔が嵌合突起に、自然に嵌合するので、挿入及び嵌合が容易になり、よってアッパー部の装着が容易になる。
【手続補正９】
【補正対象書類名】明細書
【補正対象項目名】００１６
【補正方法】変更
【補正の内容】
【００１６】
この挿入孔２１は。アウトソール部３の周囲側面の上部縁部に、全周にわたって複数設けられ、入口２２が開口する。
アウトソール部３の上面中央には浅い凹み２３が形成される。この凹み２３は、インソール部９が嵌合されて、完全に覆われる形状と広さを有する。この凹み２３の深さは、インソール部９の厚さのほぼ二倍の深さである（ 図３（Ｇ））。なお、このインソール部９の裏面は、図示しないが、凹み２３と嵌合突起２９群とが形成する凹凸と反対の凹凸を有している。これら両面の凹凸の働きで、嵌合突起２９はインソール部９の裏面によって隙間なく押圧されることになり、嵌合はより外れにくくなる。
図３（Ｉ）（Ｇ）（Ｈ）などに示すように、挿入孔２１は水平で、凹み２３の内壁２５に出口２７が開口する。これにより、挿入片１５が挿入孔２１へ挿入される方向は、アウトソール部３の周囲から内側へ向かう。そして、挿入孔２１を貫通後は、挿入片１５はほぼ水平になる。
【手続補正１０】
【補正対象書類名】明細書
【補正対象項目名】００２４
【補正方法】変更
【補正の内容】
【００２４】
（４）さらに、図３（Ｇ）、図３（Ｌ）に示すように、アッパー部５を装着するために必要なアウトソール部３の上下方向のスペースを小さくでき、よって、履物１の薄型化を図れる。
すなわち、挿入片１５が挿入孔２１へ挿入される方向は、従来のように上下方向ではなく、アウトソール部３の周囲から内側へ向かい図３（Ｉ）、貫通後は、挿入片１５はほぼ水平になって（ 図３（Ｇ）、  図３（Ｋ））嵌合突起２９との嵌合が行われる。
そして、上記特許文献１を含め一般にこのような履物１では、挿入片１５の挿入のためのスペースは大きく必要であり、嵌合突起２９のためのスペースは小さくて済むことから、挿入片１５を内側へ向かわせ水平にすることにより、大きく必要なスペースを略水平にとることが出来る。このため、アウトソール部３の上下方向のスペースを小さくでき、よって、履物１の薄型化を図れる。
【手続補正１１】
【補正対象書類名】明細書
【補正対象項目名】００２６
【補正方法】変更
【補正の内容】
【００２６】
（７）さらに、嵌合突起２９は、先端が、挿入方向に向かって手前が低くなるように傾斜している（ 図１（Ｃ）、図３（Ｇ）（Ｋ））ことから、アッパー部５の装着が容易になる。
すなわち、挿入片１５が挿入孔２１へ挿入され貫通する際に、挿入片１５は嵌合突起２９にぶつかることなく、傾斜に反って先端へ滑り上がり、この挿入片１５の嵌合孔１９が嵌合突起２９に、自然に嵌合するので、挿入及び嵌合が容易になり、また嵌合を外れにくくするために、嵌合突起２９を中央方向に反りあがる形状にしたとしても、挿入は容易になるため、よってアッパー部５の装着が容易になる。